(57)【要約】      （修正有）【課題】エレベータのかごの荷重検出と主ロープの緩み検出とを、省スペースで安価に行う。【解決手段】主ロープ１の端部に固定されたロッド２と支持枠１１との間に設けた第１のばね１３、各ロッド２に共通のプレート１４、ロッド２とプレート１４の間に設けた第２のばね１５、プレート１４とブラケット２０との間に設けた第３のばね２２、プレート１４の移動方向を一つの往復方向に制限する複数の直動ガイド４とを備え、プレート１４の変位を測定することによりかごの荷重を検出する変位測定器２３と、プレート１４とブラケット２０との間に設けられ、プレート１４の所定以上の変位をスイッチ３２で検出することによって主ロープ１の緩みを検出する主ロープの緩み検出装置とを備えた。【選択図】図１
2008189462.tif 000002
【特許請求の範囲】
【請求項１】
複数の主ロープと、各主ロープの端部にそれぞれ固定されたロッドと、このロッドと固定側との間に設けたばねを備え、前記ロッドの変位を測定することによってエレベータかごの荷重を検出する荷重検出装置と、前記主ロープの緩みを検出する装置とを備えたエレベータ装置において、
前記各ロッドに共通のプレートと前記各ロッドとの間にそれぞれ配置された第２のばねと、前記プレートを挟んで前記第２のばねの反対側と前記固定側との間に設けた複数の第３のばねと、前記プレートの移動方向を一つの往復方向に制限する複数の直動ガイドとを備え、前記プレートの変位を測定することにより前記かごの荷重を検出する荷重検出装置と、前記プレートと前記固定側との間に設けられ、前記プレートの所定以上の変位を検出することによって前記主ロープの緩みを検出する主ロープの緩み検出装置とを備えたことを特徴とするエレベータ装置。
【請求項２】
前記主ロープの緩み検出装置は、前記プレートの変位量を拡大するレバー機構を備えていることを特徴とする請求項１に記載のエレベータ装置。
【請求項３】
前記複数の第２のばねによるばね力の重心と、前記複数の第３のばねによるばね力の重心は一致していることを特徴とする請求項１又は２に記載のエレベータ装置。
【発明の詳細な説明】
【技術分野】
【０００１】
本発明は、エレベータのかごの荷重及びかごを吊持する主ロープの緩みを検出する装置を備えたエレベータ装置に関するものである。
【背景技術】
【０００２】
エレベータかごの荷重検出装置には種種のものがあるが、２：１ローピングのエレベータの場合においては、主ロープの一端が昇降路の固定側に連結されるロープヒッチ部において、主ロープが固定されたロッドと固定側との間に設けた２種類のばねにプレートを挟み、このプレートの変位を測定する装置がある。この装置を図２及び図２のＡ−Ａ断面図である図３により説明する。
【０００３】
図において，１は主ロープ、２は各主ロープ１の端部に固定されたロッド、１０は昇降路壁やガイドレールなどの昇降路固定側に固定されたブラケット、１１はブラケット１０から下方に伸びた支持枠であり、ロッド２が貫通し、ロッド２に螺合したナット１２との間に第１のばね１３が配置されている。１４は各ロッド２が貫通したプレートでナット１２との間に第１のばね１３よりばね定数の小さい第２のばね１５が配置されている。１６はプレート１４に直立するように固定されたロッドである。
【０００４】
２０は昇降路壁やガイドレールなどの昇降路固定側に固定されたブラケット、２１はリニアベアリングやリニアブッシュなどの直動システムによりロッド１６を鉛直方向にのみ可動にガイドする直動ガイドで、ブラケット２０に固定されている。２２は直動ガイド２１とプレート１４との間に設けられた第３のばね、２３はブラケット２０に固定されてプレート１４の変位を測定する変位測定器である。
【０００５】
この構成によれば、ばね１５，２２でプレート１４を上下から挟み、更に直動ガイド２１を使用しているため、各ばね１３のたわみ量にばらつきがあっても、プレート１４が傾くことはなく、各ばね１３のたわみ量の平均値を正確に測定することができる。また主ロープ１の本数に増減があってもプレート１４等を変更するのみで容易に対応できる。
【０００６】
【特許文献１】特開２００３−２５４９号公報
【発明の開示】
【発明が解決しようとする課題】
【０００７】
この従来例のような２：１ローピングのエレベータでは、荷重検出装置の外に主ロープの緩みを検出する装置が設けられるため、そのスペースが別途必要になる。また前記従来例では、回転成分を抑制してロッド１６を鉛直方向にのみ可動にガイドする直動ガイド２１を１個使用しているが、この直動ガイドは高価であるという問題がある。更に第２のばねのばね力の重心と第３のばねのばね力の重心を一致させることが困難なため、信頼性の向上が難しいという問題もあった。
【課題を解決するための手段】
【０００８】
本発明は、複数の主ロープと、各主ロープの端部にそれぞれ固定されたロッドと、このロッドと固定側との間に設けたばねを備え、前記ロッドの変位を測定することによってエレベータかごの荷重を検出する荷重検出装置と、前記主ロープの緩みを検出する装置とを備えたエレベータ装置において、前記各ロッドに共通のプレートと前記各ロッドとの間にそれぞれ配置された第２のばねと、前記プレートを挟んで前記第２のばねの反対側と前記固定側との間に設けた複数の第３のばねと、前記プレートの移動方向を一つの往復方向に制限する複数の直動ガイドとを備え、前記プレートの変位を測定することにより前記かごの荷重を検出する荷重検出装置と、前記プレートと前記固定側との間に設けられ、前記プレートの所定以上の変位を検出することによって前記主ロープの緩みを検出する主ロープの緩み検出装置とを備えたものである。
また、前記主ロープの緩み検出装置は、前記プレートの変位量を拡大するレバー機構を備えたものであり、更に、前記複数の第２のばねによるばね力の重心と、前記複数の第３のばねによるばね力の重心を一致させたものである。
【発明の効果】
【０００９】
本発明によれば、荷重検出装置と主ロープの緩み検出装置とを一体化しているため、省スペースを実現できる。
【発明を実施するための最良の形態】
【００１０】
本発明の実施の形態を図１により説明する。図１は図２に相当する図であり、図２と同一符号は同一のもの示しており、支持枠１１とブラケット２０はガイドレール３に固定されている。この実施形態では従来のような回転成分を抑制してロッド１６を鉛直方向にのみ可動にガイドする高価な直動ガイドではなく、ロッド１６の直動のみをガイドする安価な直動ガイド４を２個設けることによって、コストダウンを実現している。５は支持枠１１とブラケット２０に固定されたブラケットであり、プレート１４の変位を測定する変位測定器２３が設けられている。
３０はプレート１４に位置調整自在に取り付けられたピン、３１はブラケット２０に枢着されたレバーであり、ピン３０との間に所定の隙間を設けてある。３２はブラケット２０に固定されたスイッチである。
【００１１】
本実施形態における荷重検出は、図２の場合と同様に、プレート１４の変位を変位測定器２３で測定することにより行う。
主ロープの１切断などで、主ロープ１の張力が緩んだ場合には、第１のばね１３が伸びてプレート１４に取り付けられたピン３０が上昇してレバー３１を時計方向に回転させ、スイッチ３２を動作させるものである。
【００１２】
この実施形態によれば、荷重検出装置と主ロープの緩み検出装置とが一体になっているので、両者を別々に設置する場合に比べて省スペースになる。また、直動ガイドにはロッド１６の直動のみをガイドする安価な直動ガイド４を２個使用しているため、回転成分を抑制する高価な直動ガイド２１を使用しなくても済むので、従来に比べてコストダウンを図ることができる。更に、直動ガイド４及び第３のばね２２を２個配置しているため、第２のばね１５のばね力の重心と、第３のばね２２のばね力の重心を一致させることが容易になり、動作の安定性を向上させることができる。
更にピン３０はプレート１４に位置調整自在に取り付けられているため、ピン３０とレバー３１との間に適当な隙間を設けておくことにより、通常の荷重検出動作に支障を来たすことがないように設定できる。また、ピン３０の上下動をレバー３１で増幅するのでスイッチ３２の動作をより確実にできる。
【００１３】
前記実施形態において、直動ガイド４及び第３のばね２２をそれぞれ２個使用しているが３個以上でもよい。また主ロープ１の数も制限されることはない。更に本装置はエレベータの種類に応じて，上下逆又は横方向に使用することも可能である。
【図面の簡単な説明】
【００１４】
【図１】本発明の実施の形態を示す図である。
【図２】従来の荷重検出装置を示す図である。
【図３】図２のＡ−Ａ断面図である。
【符号の説明】
【００１５】
１  主ロープ
２  ロッド
３  ガイドレール
４  直動ガイド
５，１０，２０  ブラケット
１１  支持枠
１３  第１のばね
１４  プレート
１５  第２のばね
１６  ロッド
２２  第３のばね
２３  変位測定器
３０  ピン
３１  レバー
３２  スイッチ
【図１】
2008189462.tif 000003
【図２】
2008189462.tif 000004
【図３】
2008189462.tif 000005